(57)【要約】      （修正有）【課題】  電灯のランプ用接続ブロックの取扱いを改善する。【解決手段】  ランプ用接続ブロック１７は、絶縁体１９、その中に設けられて導体とランプの口金接触ピン２１を接続する電気接触子２０、接続ブロックに結合されるランプのため接続ブロックに付属する揺動可能な止め湾曲片１８を持ち、この止め湾曲片が使用状態で保持辺によりランプを少なくとも部分的に包囲する。本発明により止め湾曲片に放出機構３２が付属して、止め湾曲片の開放運動により、ランプの口金１５と接続ブロック１７とを互いに離す。【選択図】  図１１
2006173080.tif 000002
【特許請求の範囲】
【請求項１】
ランプ（１２，１３）用接続ブロック（１７）であって、絶縁体（１９）、その中に設けられて導体とランプ（１２又は１３）の口金接触ピン（２１）を接続する電気接触子（２０）、接続ブロック（１７）に結合されるランプ（１２又は１３）のため接続ブロック（１７）に付属する揺動可能な止め湾曲片（１８）を持ち、この止め湾曲片（１８）が使用状態で保持辺（３０）によりランプ（１２又は１３）を少なくとも部分的に包囲するものにおいて、止め湾曲片（１８）に放出機構（３２）が付属して、止め湾曲片（１８）の開放運動（３３）により、ランプ（１２又は１３）の口金（１５）と接続ブロック（１７）とを互いに離すことを特徴とする、接続ブロック。
【請求項２】
止め湾曲片（１８）が中間位置においてもはや拘束することなくランプ（１２又は１３）に作用するが、ランプ側の口金接触ピン（２１）はまだ接続ブロック（１７）の接触子（２０）から完全には外れていないように、止め湾曲片（１８）と放出機構（３２）が関係づけられていることを特徴とする、請求項１に記載の接続ブロック。
【請求項３】
止め湾曲片（１８）と放出機構（３２）が一体の部材を構成していることを特徴とする、請求項１又は２に記載の接続ブロック
【請求項４】
止め湾曲片（１８）と放出機構（３２）が、揺動レバーのように双碗レバーのそれぞれ１つの腕（３０，３１）を形成していることを特徴とする、請求項１〜３の１つに記載の接続ブロック。
【請求項５】
揺動レバーの両方の腕（３０，３１）が、互いにほぼＣ字状又はＬ字状の対応関係にあることを特徴とする、請求項４に記載の接続ブロック。
【請求項６】
少なくとも止め湾曲片（１８）が弾性的に構成されかつ／又は設けられていることを特徴とする請求項１〜５の１つに記載の接続ブロック。
【請求項７】
揺動レバーがその揺動軸線（Ｓ）を接続ブロック（１７）に設けられていることを特徴とする、請求項４又は５に記載の接続ブロック。
【請求項８】
揺動レバーが接続ブロック（１７）の正面（３８）で受入れ間隙（２５）に設けられ、接続ブロック（１７）の正面（３８）へはめられるカバー（３９）により保持されていることを特徴とする、請求項４〜６の１つに記載の接続ブロック。
【請求項９】
カバー（３９）が接続ブロック（１７）により差込み係止可能であることを特徴とする、請求項８に記載の接続ブロック。
【発明の詳細な説明】
【技術分野】
【０００１】  本発明は、ランプ特に環状ランプ用接続ブロックであって、絶縁体、その中に設けられて導体とランプの口金接触ピンを接続する電気接触子、接続ブロックに結合されるランプのため接続ブロックに付属する揺動可能な止め湾曲片を持ち、この止め湾曲片が使用状態で保持辺によりランプを少なくとも部分的に包囲するにもの関する。
【背景技術】
【０００２】  従来技術については、出願人の主カタログ２００４／２００７の１６１ページを参照されたい。そこに示されている形式シリーズ２６，７１２の“Ｇ１０ｑ環状ランプソケット”にソケット及びホルダが属しており、各環状ランプのためソケット及び場合によっては複数のホルダが使用される。ソケット及びホルダは、そのハウジングに揺動可能に支持されかつ針金から曲げられたほぼＣ字状又はＵ字状の止め湾曲片を持っている。止め湾曲片は、ランプ口金をソケットの接続ブロックにはめた後、ランプ上で揺動され、従ってランプをソケット又はホルダで保持する。【０００３】  ここでソケットが問題である場合、ソケットは統合された電気接触子を持つ接続ブロックと、接続ブロックを包囲するハウジングから成り、このハウジングは止め湾曲片も揺動可能に支持し、電灯部分へ取付けるため取付け機構を備えている。従って接続ブロックとハウジングは一緒にソケットを形成している。【０００４】  実際には、このようなソケット及び場合によっては１つ又は複数のランプホルダを電灯板に固定的に取付けるのが普通である。しかしいわゆる浮動配置も可能で、ソケットをやめて接続ブロック（及び場合によってはホルダ）のみが使用される。従って本発明はまずランプソケットに関するものではなく、接続ブロックのみに関するか、又は環状ランプソケットの構成部分としての接続ブロックに関する。【０００５】  適当な電灯における環状ランプの取付けは、ランプ口金が接続ブロックに接続されるように行われる。それから止め湾曲片及び場合によっては１つ又は複数のホルダの止め湾曲片がランプ上で揺動される。ランプの取外しは逆の順序で行われる。【０００６】  接続ブロックが電灯には取付けられていないという特徴を持つ浮動接続部において一般に、存在する場合ホルダの止め湾曲片がランプに結合され、接続ブロックへの電気接続が行われる。ランプを取外す場合、まずランプ口金と接続ブロックを互いに分離し、それから付加的なホルダの止め湾曲片が逆かれるか、又はその逆が行われる。【０００７】  しかしここで重要なことは、ランプの接触ピンが接続ブロックの接触子に所望のようにしっかりはまっているため、ランプを外す際大きい引出し力が生じ、この引出し力に急に打勝った後、生じる運動についての制御が行われなくなり、ランプが近くにある部分へ突き当たることである。それによりランプが損傷するか、全く破壊することがある。
【発明の開示】
【発明が解決しようとする課題】
【０００８】  ここで本発明が始まる。大体において本発明の基礎になっている課題は、付属する止め湾曲片を持つ接続ブロックを利用可能にし、接続ブロックからランプを取除く際この止め湾曲片が利用者の容易な取扱いを可能にすることである。
【課題を解決するための手段】
【０００９】  本発明はこの課題を請求項１の特徴により解決し、従って止め湾曲片に放出機構が付属して、止め湾曲片の開放運動により、ランプの口金と接続ブロックとを互いに離すことを特徴としている。【００１０】  即ち本発明の重要な核心は、止め湾曲片と放出機構が組合わされ、それにより止め湾曲片の釈放（開放揺動）により、ランプ口金が接続ブロックから出される。これにより、ランプが電灯部分又は他の隣接する物体へ上述したように破壊的にぶち当たるのを防止され、従って特に浮動ランプ接続部を持つ形式のランプにおいて、著しい改善が行われる。同時に取扱いが著しく容易になる。なぜならば、止め湾曲片は一方の手で操作されるので、利用者の他方の手はランプを支えて保持できるからである。接続ブロックからランプを取外す際の衝動的な運動は、本発明により確実に回避される。これにより導線を引張ることによる接続ブロックの引抜きも回避することができる。このような引張りは接続個所における損傷の危険を生じる。【００１１】  放出機構は接続ブロックと伝動結合されているので、ランプを接続ブロックへ差込む際、新しい利点も同時に生じる。即ちこの場合ランプの口金は、今や強制的に止め湾曲片を動かす放出機構を押す。その結果ランプを差込む際、止め湾曲片がランプの所の作用位置へ自動的に達する。これは、簡単な取扱いという観点から有利であるのみならず、装置全体の機械的及び電気的安全性の観点からも有利である。【００１２】  本発明による原理の具体的構成において、止め湾曲片が中間位置においてもはや拘束することなくランプに作用するが、ランプ側の口金接触ピンはまだ接続ブロックの接触子から完全には外れていないように、止め湾曲片と放出機構が関係づけられている。これにより所望の場合、ランプの脱落なしに、ランプ口金と接続ブロックが機械的にまだゆるく結合されたままであるようにすることができる。しかし止め湾曲片により妨げられることなく、手によりランプをほぼ力なしに引抜くことが可能である。特にこれに関連して、止め湾曲片が弾性的に構成されかつ／又は設けられていると有利なので、止め湾曲片がまだランプの引出し範囲にある場合、止め湾曲片はそれることができる。なお止め湾曲片の弾性は、自動的な公差補償のために有利である。【００１３】  有利な実施形態では、止め湾曲片と放出機構が一体の部材を構成している。この部材は、比較的簡単なプラスチック射出成形部品とすることができる。しかし本発明の範囲内で、別の材料例えば板又は線から構成することも、本発明の範囲内にある。【００１４】  別の構成では、止め湾曲片と放出機構が、揺動レバーのように双腕レバーのそれぞれ１つの腕を形成している。その際揺動レバーの両方の腕が、互いにほぼＣ字状又はＬ字状の対応関係にあるようにすることができる。【００１５】  接続ブロックに対する止め湾曲片の配置及び／又は対応に関して、本発明の実施形態によれば、揺動レバーがその揺動軸線を接続ブロックに設けられている。これに関連して揺動レバーが接続ブロックの正面で受入れ間隙に設けられ、接続ブロックの正面へはめられるカバーにより保持されているようにすることができる。カバーが接続ブロックにより場合によっては再び���放可能に差込み係止可能であるようにすることができる。【００１６】  なお本発明は、図面に示されている実施例の以下の説明により最もよく理解される。
【発明を実施するための最良の形態】
【００１７】  図１は、電灯ハウジング１１と環形状のため一般に環状ランプと称される２つの環状照明手段１２，１３とを持つ天井灯１０を示している。電灯ハウジング１１又は電灯板には、ランプ１２，１３の数に応じて２つのランプソケット１４が取付けられている。ランプ口金は符号１５を付けられている。符号１６は、弓形の揺動可能な取付け具を示し、ランプ１２及び１３を付属のソケット１４へ差込んだ後、この取付け具がそれぞれのランプ管の周りに部分的に当てられて、環状ランプ１２及び１３を保持する。【００１８】  図２に示す電灯１０は、図１に示す電灯とは、ランプソケット１４が設けられず、接続ブロック１７のみが設けられているという点で、相違している。接続ブロック１７のうち、図２には、内側環状ランプ１２に付属する接続ブロックのみが認められる。１８で示す止め湾曲片により、ランプ口金１５と接続ブロック１７が分離可能にまとめられる。それについて以下に詳細に立入る。【００１９】  全体理解のために述べるべきことは、いわゆる２段ソケットとしても構成できる図１のランプソケット１４へ、図２の実施例において“覆いなし”で使用されるような接続ブロック１７が統合されていることである。図１の実施例では、電灯１０の裏側から図示しない導体の引込み部を持つ電灯板１１に対するランプソケット１４の固定的対応が重要である。これに反し図２に示す電灯では、導体接続部は“浮動的”である。なぜならば、電灯板１１のどれか１つの所定の場所に対する接続ブロック１７の対応は、比較的自由に選択可能だからである。【００２０】  今まで説明した両方の電灯に対し、環状ランプ１２，１３の取付け及び取外しに関して当てはまることは、特にソケット１４からのランプ口金１５の引抜き又はランプ口金１５と接続ブロック１７の引離しが、少なくとも衝動的な運動を伴って行われ、この衝撃的な運動により、近くにある物体へランプ１２又は１３が突当たって、それを破壊する可能性があることである。【００２１】  従って本発明は、簡単な扱いにより接続ブロック１７（図２により露出しているか図１によりソケットハウジングに統合されている）からのランプ口金１５の分離を非常に簡単に行えるようにする放出システムを提供する。【００２２】  図３は接続ブロック１７、止め湾曲片１８及びカバー３９を示している。接続ブロック１７は絶縁材料特にプラスチック又は陶磁器から成る成形体である。この接続ブロック１７は、図示しない電気接続導体とランプ口金１５の口金接触ピン２１（図１１参照）とを導電接続するための接触子２０を含んでいる。この目的のため接触子２０は、その後方の導体接続端部にねじなし接続端子２２を持ち、その反対側端部にランプ口金接触ピン２１を受入れる二又ばね２３を持っている。接触子２０の二又ばね２３は図３にも見られる。【００２３】  止め湾曲片１８は２つの揺動支持突起２４を持ち、接続ブロック１７は図３に２５で示す支持突起受入れ部２５を持ち、これらの受入れ部２５は接続ブロック１７の正面３８の方へ開いているので、止め湾曲片１８の支持突起２４を受入れ部２５へクリップばめすることができる。この状態が図４に示されている。【００２４】  図３及び４から更にわかる��うに、接続ブロック１７はその正面の方へ開く間隙２６を持ち、この間隙２６が止め湾曲片１８の一部を受入れて、揺動支持突起２４により規定される揺動軸線Ｓの周りに揺動するための運動遊隙を与える。【００２５】  止め湾曲片１８を接続ブロック１７に保持するため、既に述べたカバー３９が設けられている。このカバー３９は、側方に互いに対向して配置された係止かぎ２７を持ち、これらの係止かぎ２７が内側から接続ブロック１７の縁２８の後ろに係合し、そこにある係止開口２９へ入り込むことができる。なおカバー３９は、ランプ接触ピン２１（図１１）の数及び配置に応じてこれらの接触ピン２１のため４つの差通し開口４０を持っている。【００２６】  揺動支持突起２４により規定される揺動軸線Ｓに対して、止め湾曲片１８は双腕レバーとして構成され、その一方の腕３０は保持辺として本来の止め湾曲片１８であり、その他方の腕３１は放出機構３２であるが、この放出機構の機能は後述される。【００２７】  図５〜７は、揺動運動可能に統合される止め湾曲片１８を持つ接続ブロック１７を３つの特徴的な位置で示している。【００２８】  図５は、止め湾曲片１８がここには示されていないランプ又はそのランプ口金を接続ブロック１７から遠い方の側で上から一部包囲する作用位置で、この止め湾曲片１８を示している。この第１の極端位置で、放出機構３２は、接続ブロック１７の間隙２６内へ引込められて作用しない不動作位置にある。【００２９】  別の極端位置が図７に示されている。ここでは、止め湾曲片１８がランプにもはや接触しない所まで、止め湾曲片が戻り揺動されている。これに反し放出機構３２は、接続ブロック１７から最も突出した位置、即ち本来の放出位置にある。【００３０】  図６は中間位置を示す。ここでは、ランプ口金の接触ピンが接続ブロック１７の接触子にまだ接触している所まで、放出機構３２がランプ口金を接続ブロック１７から押し離すように、放出機構３２が接続ブロック１７から出されており、一方今やランプをほぼ力なしに手で接続ブロック１７から分離できる所まで、止め湾曲片１８が開放揺動されている。【００３１】  図５〜７に斜視図で示される状態は図８〜１０にも示されているが、図５〜７の詳細な説明のため、これらの図８〜１０の個々の説明は不要である。しかし図９を見て述べておくべきことは、止め湾曲片１８が弾性材料から成るか又は弾性的に構成されており、従ってまだ一部ランプ１２の後にある止め湾曲片１８により妨げられることなく、接続ブロック１７からランプ口金１５の引出しが可能であると、有利である。【００３２】  前記の説明に基いて、矢印３３の方向に止め湾曲片１８を開くことにより、放出機構３２が矢印３４の方向に動かされることが、今や明らかにわかる。これによりランプ１２が釈放され、図７又は１０に示す位置に達するまで、ランプ口金１５が接続ブロック１７から同時に分離され、この位置でランプ口金接触ピン２１は接続ブロック１７の内部にある接触子２０にもはや接触しないので、ランプ１２を容易につかんで、力なしに従って全く支障なしに取除くことができる。【００３３】  逆にランプ１２の口金１５を接続ブロック１７へ差込む場合、図７又は１０から始まって、��ンプ口金１５の差込により、放出機構３２が矢印３５の方向に動かされる結果、止め湾曲片１８も同時に矢印３６の方向へ一緒に揺動される。これは、接続ブロック１７へのランプ口金１５の差込みが、止め湾曲片１８を、強制的に従って自動的にランプ１２を固定する位置（図５及び８参照）へもたらす、ことを意味する。【００３４】  ２つのレバー腕３０及び３１を持ちかつほぼ揺動レバーのように形成される止め湾曲片１８は、図面に示すように１片から成り、図示した実施例ではプラスチック射出成形部品から成っている。なお述べておくべきことは、止め湾曲片１８が２つのストッパ突起３７を持ち、これらのストッパ突起３７が矢印３３の方向への止め湾曲片１８の開放揺動を有意義に限定することである。【００３５】  最後に図１２は、同じ接続ブロック１７において、異なる管直径及び口金直径を持つランプを考慮するため、異なる大きさの止め湾曲片１８及び１８′を使用できることを示している。
【図面の簡単な説明】
【００３６】
【図１】  ランプソケットによりそれぞれ電気接続されている２つの環状ランプを持つ電灯の斜視図を示す。
【図２】  ２つの環状ランプ用のそれぞれ１つの接続ブロックを持つ図１の電灯に類似な電灯の斜視図を示す。
【図３】  組合わされた止め湾曲片−放出機構及び接続ブロック用カバーを持つ本発明による接続ブロックの分解斜視図を示す。
【図４】  組合わされた止め湾曲片−放出機構を持ち組立ての完了した接続ブロックの異なる位置における分解斜視図を示す。
【図５】  １つの位置にある止め湾曲片−放出機構組合わせを持ち組立ての完了した接続ブロックの斜視図を示す。
【図６】  別の位置にある止め湾曲片−放出機構組合わせを持ち組立ての完了した接続ブロックの斜視図を示す。
【図７】  更に別の位置にある止め湾曲片−放出機構組合わせを持ち組立ての完了した接続ブロックの斜視図を示す。
【図８】  図５に相当する位置にある止め湾曲片−放出機構組合わせを持つ接続ブロックの斜面図を示す。
【図９】  図６に相当する位置にある止め湾曲片−放出機構組合わせを持つ接続ブロックの斜面図を示す。
【図１０】  図７に相当する位置にある止め湾曲片−放出機構組合わせを持つ接続ブロックの斜面図を示す。
【図１１】  充分放出されたランプを持つ接続ブロック縦断面図を示す。
【図１２】  異なる構成の止め湾曲片を持つ接続ブロックの側面図を示す。
【符号の説明】
【００３７】  １２，１３          ランプ
１５                口金
１７                接続ブロック
１８                止め湾曲片
１９                絶縁体
２０                接触子
２１                口金接触ピン
３０                保持辺
３２                放出機構
３３                開放運動
【図１】
2006173080.tif 000003
【図２】
2006173080.tif 000004
【図３】
2006173080.tif 000005
【図４】
2006173080.tif 000006
【図５】
2006173080.tif 000007
【図６】
2006173080.tif 000008
【図７】
2006173080.tif 000009
【図８】
2006173080.tif 000010
【図９】
2006173080.tif 000011
【図１０】
2006173080.tif 000012
【図１１】
2006173080.tif 000013
【図１２】
2006173080.tif 000014